(57)【特許請求の範囲】
【請求項１】
容器口部に固定される筒状本体と、該筒状本体の内部に回転可能に保持される弁体と、螺子係合により該筒状本体に旋回可能に保持された上蓋とからなり、
前記筒状本体は、その内部が仕切壁によって上部空間と下部空間とに区画されており、該筒状本体の外面には、前記上蓋と螺子係合する第１の螺条と、前記上蓋の上昇を規制するストッパーが形成されており、
前記仕切壁の中央部分には、内容液注出用の第１の開口が形成されているとともに、該仕切壁の上面には、第１の開口を取り囲むように上方に延びている環状突起と、第１の開口の縁に結合した足を介して該環状突起の内部を通って上方に延びているシャッター用ロッドが設けられており、
前記シャッター用ロッドの前記足には、第１の開口を介して前記上部空間と下部空間とを連通する切欠きが形成されており、
前記弁体は、前記シャッター用ロッドが貫通する孔を備えた基板と、該基板の下面から下方に延びており且つ少なくとも前記シャッター用ロッドの切欠きを閉じることができる程度の大きさを有している弧状突起と、該基板の外周縁部から径方向外方に延びている回転強制用フランジとを備えており、該弁体は、前記シャッター用ロッドが前記基板の孔を貫通して上方に延び且つ該弁体の前記弧状突起の外面が前記筒状本体の環状突起の内面に密着した状態で、前記シャッター用ロッドまたは前記環状突起に回転可能に保持されており、
前記上蓋は、中央部に内容液注出用の第２の開口を有する頂壁と、該頂壁の外周縁部から降下した筒状側壁とを備え、該筒状側壁の内面には、前記筒状本体に形成されている第１の螺条と螺子係合する第２の螺条とを有しており、該頂壁の下面からは、シール用リングと、前記弁体の回転付勢用突起とが下方に延びており、
前記上蓋が前記筒状本体に装着された状態において、該上蓋のシール用リングは、前記筒状本体の内面に密着しているとともに、
前記上蓋が筒状本体に装着された状態で且つ最下方に位置しているときには、前記シャッター用ロッドの上端により該上蓋の第２の開口が閉じられており、同時に、前記シャッター用ロッドの切欠きが開放状態にあり、第１の開口及び該切欠きを介して筒状本体の内部の上部空間と下部空間とが連通状態に保持されており、この状態で、容器を倒立し、次いで正立状態に戻すことにより、前記筒状本体の上部空間内の前記環状突起の外側部分に容器内容液が貯留し、
容器内容液が貯留している状態で、前記上蓋を回転上昇させることにより、該上蓋の第２の開口が開放状態となり、同時に該上蓋の回転付勢用突起と弁体の回転強制用フランジとの係合により該弁体が回転し、これにより、前記シャッター用ロッドの切欠きが該弁体の弧状突起により閉じられ、筒状本体の内部の上部空間と下部空間との連通が遮断され、この状態で、容器を倒立することにより、前記環状突起の外側部分に貯留している容器内容液のみが注ぎ出されることを特徴とする計量キャップ。
【発明の詳細な説明】
【技術分野】
【０００１】
本発明は、一定量の容器内容液を注出するために使用される計量キャップに関する。
【背景技術】
【０００２】
従来、育毛剤などの薬液のように、使用量が定められた液が収容された容器のキャップとして、所謂計量キャップが使用されている。このような計量キャップの代表的なものは、弾性圧搾性の胴部を有する容器に装着されるものであり、容器口部に嵌めこまれた有底筒状形状の栓体と、該栓体に嵌合固定された注出筒と、該栓体の底壁を貫通する注出用のチューブが設けられている。即ち、注出用のチューブの一端は、容器の底部近傍にまで延びており、他端は、注出筒の内部に延びており、容器の胴部を握り締めることにより、一定量の容器内容液が注出筒内に押し出されて貯留し、この状態で容器を傾倒することにより、注出筒内に貯留した容器内容液が取り出されるというものである。
【０００３】
しかしながら、上記のような注出用チューブを備えたタイプの計量キャップでは、容器の胴部を握り締める圧力及び時間によって、容器内から注出筒内に移行する液量が異なるため、取り出される液量にはかなりバラツキがあり、正確に一定量を取り出すという点で改善の余地がある。
【０００４】
一方、一定量の容器内容液を正確に取り出すことが可能な計量キャップとしては、例えば特許文献１の添付図面に、容器口部に嵌合固定され且つ容器内部にまで延びている有底筒状の貯留筒（１１）と、容器口部に螺子係合により上下動可能に設けられ且つ液注出用の開口（２３）を備えた中蓋（２１）と、中蓋（２１）にヒンジ連結された上蓋（２８）とからなるものが提案されている。このタイプの計量キャップでは、貯留筒（１１）の側壁（１２）の上部外面が容器口部壁の内面に密着しており、且つ容器口部壁の下方に位置している該側壁（１２）の中央部分には、容器内と貯留筒（１１）内とを連通する窓（１７）が設けられており、さらに、貯留筒（１１）の底壁の中央部分からは、中蓋（２１）の開口（２３）を閉塞するように、ロッド（１５）が上方に延びている。また、中蓋（２１）には、前記窓（１７）を閉じるためのシャッター用突起（２５）が設けられている。
【０００５】
即ち、特許文献１の上記計量キャップでは、中蓋（２１）がしっかりと巻締められ且つ上蓋（２８）が閉じられた状態において、貯留筒（１１）に設けられているロッド（１５）により中蓋（２１）の開口（２３）が閉じられており、且つ貯留筒（１１）の窓（１７）は開放されており、貯留筒（１１）の内部と容器内とが連通した状態に保持されている。従って、この状態で容器を倒立させると、容器の内容液は、窓（１７）を通って貯留筒（１１）内に流れ込み、次いで正立状態に復帰させると、貯留筒（１１）の下部空間（１６）（窓よりも下方の空間）に満杯の状態で容器内容液が貯留することとなる。余剰の内容液は、窓（１７）を通って容器内に戻るというわけである。このように貯留筒（１１）内に内容液が貯留している状態で、中蓋（２１）を開栓方向に旋回すると、中蓋（２１）が上昇し、中蓋（２１）の開口（２３）が開放状態になるとともに、シャッター用突起（２５）が回転し、この突起（２５）により窓（１７）が閉じられ、貯留筒（１１）内と容器内との連通が遮断される。この状態で上蓋（２８）を開放し、容器を傾倒することにより、貯留筒（１１）内に貯留されている内容液が開口（２３）を通って外部に注ぎ出され、このとき、容器内の内容液は注ぎ出されず、一定量の内容液が注出されることとなるのである。
上記のようにして一定量の内容液が取り出された後は、上蓋（２８）を閉じ、中蓋（２１）を閉栓方向に回転して降下させると、中蓋（２１）の開口（２３）はロッド（１５）により閉じられ、また、シャッター用突起２５の移動により、窓（１７）は再び開放され、初期の状態に戻り、再度、同様の操作により一定量の内容液の注ぎ出しが行われることとなる。
【０００６】
このように、特許文献１で提案されているタイプの計量キャップによれば、注出用チューブを使用したタイプのものとは異なり、ほぼ正確に一定量の内容液を取り出すことが可能となる。
【特許文献１】特開２００２−２５５２１０号
【発明の開示】
【発明が解決しようとする課題】
【０００７】
しかしながら、従来公知の計量キャップは、容器内容液の注出のためのチューブや一定量の内容液を貯留するための貯留筒が容器内に深く入り込んだ状態で容器に固定される構造となっているため、容器口部への装着を容易に行うことが困難であるという問題があった。また、特許文献１の計量キャップでは、貯留筒（１１）の側壁に形成されている窓（１７）よりも下側の空間に内容液を貯留するため、この貯留空間が容器内に入り込んだ構造となってしまい、この結果、容器内に無駄なヘッドスペースを設けなければならず、必要以上に容器の容積を大きくしなければならないという問題もある。
【０００８】
従って、本発明の目的は、正確に一定量の容器内容液を注ぎ出すことが可能であり、しかも、注ぎ出される内容液を貯留する部分が容器の口部よりも上方に位置しており、容器への装着を容易に行うことができ、且つ容器に無駄なヘッドスペースを設けることなく、一定量の内容液の注ぎ出しを行うことが可能な計量キャップを提供することにある。
【課題を解決するための手段】
【０００９】
本発明によれば、容器口部に固定される筒状本体と、該筒状本体の内部に回転可能に保持される弁体と、螺子係合により該筒状本体に旋回可能に保持された上蓋とからなり、
前記筒状本体は、その内部が仕切壁によって上部空間と下部空間とに区画されており、該筒状本体の外面には、前記上蓋と螺子係合する第１の螺条と、前記上蓋の上昇を規制するストッパーが形成されており、
前記仕切壁の中央部分には、内容液注出用の第１の開口が形成されているとともに、該仕切壁の上面には、第１の開口を取り囲むように上方に延びている環状突起と、第１の開口の縁に結合した足を介して該環状突起の内部を通って上方に延びているシャッター用ロッドが設けられており、
前記シャッター用ロッドの前記足には、第１の開口を介して前記上部空間と下部空間とを連通する切欠きが形成されており、
前記弁体は、前記シャッター用ロッドが貫通する孔を備えた基板と、該基板の下面から下方に延びており且つ少なくとも前記シャッター用ロッドの切欠きを閉じることができる程度の大きさを有している弧状突起と、該基板の外周縁部から径方向外方に延びている回転強制用フランジとを備えており、該弁体は、前記シャッター用ロッドが前記基板の孔を貫通して上方に延び且つ該弁体の前記弧状突起の外面が前記筒状本体の環状突起の内面に密着した状態で、前記シャッター用ロッドまたは前記環状突起に回転可能に保持されており、
前記上蓋は、中央部に内容液注出用の第２の開口を有する頂壁と、該頂壁の外周縁部から降下した筒状側壁とを備え、該筒状側壁の内面には、前記筒状本体に形成されている第１の螺条と螺子係合する第２の螺条とを有しており、該頂壁の下面からは、シール用リングと、前記弁体の回転付勢用突起とが下方に延びており、
前記上蓋が前記筒状本体に装着された状態において、該上蓋のシール用リングは、前記筒状本体の内面に密着しているとともに、
前記上蓋が筒状本体に装着された状態で且つ最下方に位置しているときには、前記シャッター用ロッドの上端により該上蓋の第２の開口が閉じられており、同時に、前記シャッター用ロッドの切欠きが開放状態にあり、第１の開口及び該切欠きを介して筒状本体の内部の上部空間と下部空間とが連通状態に保持されており、この状態で、容器を倒立し、次いで正立状態に戻すことにより、前記筒状本体の上部空間内の前記環状突起の外側部分に容器内容液が貯留し、
容器内容液が貯留している状態で、前記上蓋を回転上昇させることにより、該上蓋の第２の開口が開放状態となり、同時に該上蓋の回転付勢用突起と弁体の回転強制用フランジとの係合により該弁体が回転し、これにより、前記シャッター用ロッドの切欠きが該弁体の弧状突起により閉じられ、筒状本体の内部の上部空間と下部空間との連通が遮断され、この状態で、容器を倒立することにより、前記環状突起の外側部分に貯留している容器内容液のみが注ぎ出されることを特徴とする計量キャップが提供される。
【発明の効果】
【００１０】
本発明の計量キャップでは、容器を倒立させ、次いで正立状態に戻すことにより、筒状本体の上部空間に容器内容液を一旦貯留し、この貯留された液を注ぎ出す構造となっているため、精度よく、一定量の内容液を取り出すことができる。
【００１１】
また、容器内容液が貯留される筒状本体の上部空間は、容器口部の上方に位置しているため、容器に無駄なヘッドスペースを設ける必要が無く、しかも、容器内に深く挿入される部分もないため、このキャップの容器口部への装着を容易に行うことができる。
【発明を実施するための最良の形態】
【００１２】
本発明を、以下、本発明を添付図面に基づいて詳細に説明する。
図１は、本発明の計量キャップが容器口部に装着されており、容器内容液がシールされている状態を示す側断面図であり、
図２は、図１の計量キャップにおいて、容器内容液を注ぎ出す際の状態を示す側断面図であり、
図３は、図１の計量キャップの筒状本体の半断面側面図であり、
図４は、図３の筒状本体の底面図であり、
図５は、図１の計量キャップの弁体の斜視図であり、
図６は、図１の計量キャップの上蓋の半断面側面図であり、
図７は、図１の計量キャップの上方から見た分解斜視図であり、
図８は、図１の計量キャップの下方から見た分解斜視図であり、
図９は、図１の計量キャップの下方から見た一部断面分解斜視図である。
【００１３】
図１及び図２を参照して、本発明の計量キャップは、容器口部１００に固定されている筒状本体１と、筒状本体１の内部に回転可能に保持される弁体３と、螺子係合により筒状本体１に旋回可能に保持された上蓋５とから構成されている。
尚、図１は、この本発明の計量キャップが容器口部１００に装着されており、容器内容液がシールされている状態を示しており、容器及び計量キャップは、通常、この状態に保持されている。また、図２は、この計量キャップから容器内容液を注ぎ出す際の状態を示しており、後述するが、このような状態に計量キャップを保持して容器を倒立（或いは傾倒）することにより、一定量の内容液が注ぎ出されるのである。
【００１４】
筒状本体１の一部断面側面図である図３及び筒状本体１の底面図である図４を併せて参照して、筒状本体１は、仕切壁７によって下部体９と上部体１０とに区画されており、筒状本体１の内部は、下部体９の内部となる下部空間Ａと上部体１０の内部となる上部空間Ｂとに区画された構造となっている。
【００１５】
尚、図１の例では、下部体９が上部体１０よりも大径に形成されており、その外面において、下部体９と上部体１０との境界部分には水平段差部１１が形成されているが、下部体９と上部体１０とを同径とし、下部体９の外面と上部体１０の外面とがストレートな面で連なるような構造とすることも勿論可能である。
【００１６】
上記仕切壁７の下面からは、下部体９の内面とは小間隔をおいて下方に延びているインナーリング１３が設けられており、さらに、下部体９の内面の下端には、アンダーカット９ａが形成されている。即ち、図１及び図２から理解されるように、インナーリング１３と下部体９の内面との間の空間に容器口部１００の壁が嵌めこまれ、これにより、下部体９（即ち、筒状本体１）は容器口部１００にしっかりと固定されるようになっている。
【００１７】
従って、上記の構造から理解されるように、下部体９の内部空間である下部空間Ａは、容器内に位置するものであり、上部体１０の内部空間である上部空間Ｂは、仕切壁７を挟んで容器口部１００の上方に位置するようになっている。
【００１８】
また、仕切壁７の中央部分には、容器内に収容されている内容液を注出するための第１の開口１５が形成されており、この第１の開口１５により、容器内に位置する下部体９の内部の下部空間Ａは、容器外に位置する上部体１０の内部空間である上部空間Ｂに連通している。
【００１９】
筒状本体１の上部体１０の外面には雄螺子（第１の螺条）１７が形成されている。この雄螺子１７の螺子係合を利用して上蓋５が旋回可能且つ上下動可能に筒状本体１（上部体１０）に保持されるものである。また、上部体１０の外面上端部分には、上蓋５の上昇を規制するストッパー用突条１９が形成されている。
【００２０】
さらに、仕切壁７の上面には、第１の開口１５を取り囲むように上方に延びている環状突起２０が設けられている。即ち、上記の環状突起２０と上部体１０の内面との間の空間が、一定量の容器内容液を注ぎ出す際に、該内容液が一旦貯留される貯留空間Ｘとなる（図３参照）。
【００２１】
また、上部体１０の上部空間Ｂには、仕切壁７に形成されている第１の開口１５の縁部に結合した一対の足２１を介して上方に延びている中空形状のシャッター用ロッド２３が設けられている。即ち、このような足２１が形成されていない部分である切欠き２２が通路となり、第１の開口１５を介して下部空間Ａと上部空間Ｂとを連通せしめ、容器内容液を上記貯留空間Ｘに移動させ得るようになっている。また、このシャッター用ロッド２３により、上蓋５からの液洩れを防止し得るようになっている。図４（或いは図８）に示されているように、第１の開口１５において、上記の足２１が形成されていない部分（切欠き２２）に対応する部分は、足２１が形成されている部分よりも大径となっており、これにより、内容液のスムーズな移動が可能となっている。
【００２２】
尚、特に図３に示されているように、上記のシャッター用ロッド２３の外面には、環状凸部２５が形成されている。この環状凸部２５は、以下に述べる弁体３を係合保持するために形成されているものである。
【００２３】
弁体３は、上記の内容液の通路となる切欠き部分２２の開閉を行うための部材であり、上記の環状凸部２５との係合により、シャッター用ロッド２３に回転可能に保持されるものである。
【００２４】
弁体３を示す図５及びこの計量キャップの分解した状態を示す図７〜９を、図１及び図２と併せて参照して、この弁体３は、円形の基板２７と、基板２７の下面から下方に延びている一対の弧状突起２９とを備えている。
【００２５】
上記の基板２７の中央部分には、シャッター用ロッド２３が貫通する孔３０を備えており、この孔３０が形成されている壁面には、係合用凹部３１が形成されている。即ち、この弁体３は、基板２７の孔３０にシャッター用ロッド２３を通し、上記の係合用凹部３１を該ロッド２３の外面に形成されている環状凸部２５と係合させることにより、回転可能に保持されることとなる。
【００２６】
また、基板２７の外周縁には、径方向外方に延びている回転強制用フランジ３３が一対形成されている。この回転強制用フランジ３３との係合を利用して、後述する上蓋５により、弁体３が回転せしめられる。
【００２７】
かかる弁体３の弧状突起２９は、シャッター用ロッド２３の足２１に形成されている切欠き２２を閉じることができる程度の大きさを有しているものであり、弁体３を回転させることにより、弧状突起２９による切欠き２２の開閉が行われる。即ち、容器内容液を容器から第１の開口１５及び切欠き２２を介しての前述した上部体１０内の貯留空間Ｘへの移動或いは移動の遮断は、弁体３を回転しての弧状突起２９の位置調整により行われることとなる。従って、容器内容液の移動が制限されている状態が示されている図２から理解されるように、この弧状突起２９の外面は、環状突起２０の内面に密着した状態に保持されており、これにより液洩れが防止されるようになっている。
【００２８】
また、上蓋５の半断面側面図を示す図６及び計量キャップの分解した状態を示す図７〜９を図１及び図２と併せて参照して、この上蓋５は、頂壁３５と、頂壁の外周縁部から降下した筒状側壁３７とを有している。
【００２９】
頂壁３５の中央部分には、内容液注出用の第２の開口５０が設けられており、前述した貯留空間Ｘに貯留された内容液は、最終的には、この第２の開口５０を介して外部に注ぎ出される。また、前述したシャッター用ロッド２３は、第２の開口５０の開閉を行うための部材であり、図１に示されている状態では、このロッド２３により第２の開口５０が閉じられており、図２に示されている状態では、第２の開口５０が開放された状態となっている。
【００３０】
また、上蓋５の筒状側壁３７の内面の下方部分には、雌螺子（第２の螺条）５１が形成されており、この雌螺子５１と上部体１０に形成されている雄螺子１７との螺子係合により、上蓋５は、筒状本体１の上部体１０に、回転可能且つ上下動可能に保持される。
【００３１】
さらに、筒状側壁３７の内面の上方部分には、上部体１０に形成されているストッパー用の突条１９と係合し得る突起５３が形成されている。即ち、この上蓋５は、上部体１０を被せるようにして嵌めこまれ、閉栓方向に回転させていくことにより上部体１０に装着されるが、これを開栓方向（上昇する方向）に回転したとき、上記の突起５３がストッパー用突条１９と係合し、上蓋５の上昇が制限され、これにより、上蓋５の脱落が防止されるようになっている。
【００３２】
上記のような上蓋５において、頂壁３５の下面からは、シール用リング５５と、一対の回転付勢用突起５７，５７とが下方に延びている（特に図８参照）。即ち、シール用リング５５は、上部体１０の内面に密着するものであり、これにより、良好なシールが確保され、例えば前述した切欠き２２が開放状態にあるときにも、液洩れを有効に防止することができる。また、回転付勢用突起５７は、弁体３の基板２７に形成されている回転強制用フランジ３３と係合し、上蓋５の回転によって弁体５を回転せしめ、弧状突起２９を移動させることにより、切欠き２２の開閉が行われるようにするためのものである。
【００３３】
上述した本発明の計量キャップは、以下のようにして一定量の内容液の注ぎ出しを行うものである。
【００３４】
先ず、図１に示されているように、筒状本体１の上部体１０に装着されている上蓋５が、完全に巻締められて最下方に位置しているときには、シャッター用ロッド２３の上端により、上蓋５の頂壁に形成されている第２の開口５０が閉じられた状態となっており、同時に、シャッター用ロッド２３の足２１に形成されている切欠き２２が開放状態にある。即ち、切欠き２２は、弁体３の弧状突起２９により閉じられていない。従って、仕切壁７に形成されている第１の開口１５及び切欠き２２を介して、下部体９の内部空間Ａと上部体１０の内部空間Ｂとの間に液の通路が形成された状態にある。
【００３５】
従って、図１の状態で、容器を倒立すると、容器内容液は、下部体９の内部空間Ａから上部体１０の内部空間Ｂに流れ込み、次いで容器を正立状態に戻すと、内部空間Ｂに流れ込んだ液は、貯留される貯留空間Ｘに充填され、余剰の液は、切欠き２２及び第１の開口１５を通って、再び容器内に戻ることとなる。即ち、上記の操作により、貯留空間Ｘは、内容液で満杯の状態となっている。
【００３６】
次いで、貯留空間Ｘが内容液で満杯となっている状態で、上蓋５を回転し、図２に示される状態とする。即ち、上蓋５の回転により、上蓋５が上昇する結果、上蓋５の頂壁に形成されている第２の開口５０が開放され、この開口５０を介しての液の注ぎ出しが可能となる。一方、上蓋５の回転により、前述した回転付勢用突起５７と弁体３の回転強制用フランジ３３とが係合して弁体３が回転し、弧状突起２９も回転移動し、切欠き２２が弧状突起２９により閉じられることとなる。
【００３７】
従って、図２の状態で容器を倒立させると、切欠き２２が閉じられているため、容器内の内容液は注ぎ出されず、上部体１０内の貯留空間Ｘ内に満たされていた液のみが、第２の開口５０を介して注ぎ出される。即ち、本発明の計量キャップでは、常に上部体１０内の貯留空間Ｘの容積に相当する一定量が注ぎ出されるのである。
【００３８】
上記のようにして内容液の注ぎ出しを行った後は、上蓋５を閉栓方向に回転することにより、上蓋５が降下し、第２の開口５０は再びシャッター用ロッド２３によって閉じられる。また、回転付勢用突起５７と回転強制用フランジ３３とが係合して弁体３が逆方向に回転し、弧状突起２９が回転移動し、切欠き２２が開放状態となる。即ち図２の状態から再び図１の状態に戻り、前述した操作を繰り返すことにより、繰り返し、定められた量（貯留空間Ｘの容積に相当）の内容液を注ぎ出すことが可能となるのである。
【００３９】
上述した本発明の計量キャップでは、精度よく、一定量の内容液を取り出すことができるばかりか、容器内容液の貯留空間Ｘは、容器口部の上方に位置しており、しかも容器内容液を貯留空間Ｘに移行させるためには、容器を倒立させるのでよく、チューブ等の格別の部材を必要としない。従って、容器に無駄なヘッドスペースを設ける必要が無く、容器の内容積を過度に大きくする必要がないばかりか、容器内に深く挿入される部材を有していないため、この計量キャップ（筒状本体１乃至下部体９）の容器口部１００への装着を至って容易に行うことができる。
【００４０】
上述した本発明の計量キャップは、図１〜図９に示した態様に限定されるものではなく、種々の設計変更が可能である。
例えば、筒状本体１の下部体９は、嵌め込みにより容器口部１００に装着されているが、螺子係合により容器口部１００に装着することも可能である。
また、弁体３の基板２７の回転強制用フランジ３３に貫通孔を設けることもできる。即ち、回転強制用フランジ３３に貫通孔を設けることにより、図１の状態で容器を倒立させ或いは正立に復帰させたときの容器内容液の流れをスムーズにし、瞬時にして貯留空間Ｘを内容液で満杯にすることができる。
さらに、シャッター用ロッド２３の足２１の数若しくは切欠き２２の数やこれらの大きさ等は特に制限されるものではなく、弧状突起２９による切欠き２２の開閉が確実且つ容易に行われるように適宜設定すればよい。
さらには、弁体３は、その弧状突起２９の外面と環状突起２０の内面との間に適当な係合機構を設けることにより、環状突起２９に回転可能に保持されていてもよい。
【図面の簡単な説明】
【００４１】
【図１】本発明の計量キャップが容器口部に装着されており、容器内容液がシールされている状態を示す側断面図。
【図２】図１の計量キャップにおいて、容器内容液を注ぎ出す際の状態を示す側断面図。
【図３】図１の計量キャップの筒状本体の半断面側面図。
【図４】図３の筒状本体の底面図。
【図５】図１の計量キャップの弁体の斜視図。
【図６】図１の計量キャップの上蓋の半断面側面図。
【図７】図１の計量キャップの上方から見た分解斜視図。
【図８】図１の計量キャップの下方から見た分解斜視図。
【図９】図１の計量キャップの下方から見た一部断面分解斜視図。
【符号の説明】
【００４２】
１：筒状本体
３：弁体
５：上蓋
７：仕切壁
９：下部体
１０：上部体
１５：第１の開口
１７：雄螺子（第１の螺条）
１９：ストッパー用突条
２０：環状突起
２１：足
２２：切欠き
２３：シャッター用ロッド
２５：環状凸部
２７：基板
２９：弧状突起
３０：貫通孔
３３：回転強制用フランジ
５０：第２の開口
５５：シール用リング
５７：回転付勢用突起
１００：容器口部
Ｘ：貯留空間
【図１】
0005026952.tif 000002
【図２】
0005026952.tif 000003
【図３】
0005026952.tif 000004
【図４】
0005026952.tif 000005
【図５】
0005026952.tif 000006
【図６】
0005026952.tif 000007
【図７】
0005026952.tif 000008
【図８】
0005026952.tif 000009
【図９】
0005026952.tif 000010